(57)【要約】【課題】足関節捻挫からの早期回復の為の下腿部用衣料を提供すること。【解決手段】患部組織周辺の循環を確保可能な下腿部用衣料本体と、下腿部用衣料本体の内面に固着し、且つ、患部を圧迫するためのパッド部材と、からなる下腿部用衣料であって、下腿部用衣料本体は、筒形状、又は、有底筒形状をなし、少なくとも使用者の膝関節下部近傍から足首近傍までに密着圧接可能であると共に、膝関節下部近傍から足首近傍にかけて、段階的に着圧力を増すものであり、パッド部材は、足関節の腓骨、及び／又は、頸骨の形状に合わせた略Ｕ字形状であることを特徴とする、下腿部用衣料。【選択図】図１
2016073378.tif 000002
【特許請求の範囲】
【請求項１】
患部組織周辺の循環を確保可能な下腿部用衣料本体と、下腿部用衣料本体の内面に固着し、且つ、患部を圧迫するためのパッド部材と、からなる下腿部用衣料であって、
下腿部用衣料本体は、筒形状、又は、有底筒形状をなし、少なくとも使用者の膝関節下部近傍から足首近傍までに密着圧接可能であると共に、膝関節下部近傍から足首近傍にかけて、段階的に着圧力を増すものであり、
パッド部材は、足関節の腓骨、及び／又は、頸骨の形状に合わせた略Ｕ字形状であることを特徴とする、下腿部用衣料。
【発明の詳細な説明】
【技術分野】
【０００１】
本発明は、足関節捻挫の治療段階において装着する下腿部用衣料に関する。
【背景技術】
【０００２】
足関節捻挫は、全身の関節の中で統計上最も頻度の高い捻挫である。そして、従来、足首の関節に無理な力が加わって捻挫などの外傷が生じた場合の治療には、後記特許文献に提案される足首固定体のように、損傷部位に固定板などをあてがうと共に、ギブスや包帯などで患部を固定するものや、程度によってはテーピング等が用いられていた。
【先行技術文献】
【特許文献】
【０００３】
【特許文献１】特開平１０−２４０５５号公報
【発明の概要】
【発明が解決しようとする課題】
【０００４】
特許文献１に提案される足首固定体を含め、従来のものは、患部を固定するためには有用であるが、患部の腫張をコントロールすることができないものや、使用すると患部への血流が滞るものであったので、必ずしも足関節捻挫からの劇的な回復を促すようなものではなかった。
【０００５】
本発明は上記実情を基に開発されたもので、足関節捻挫からの早期回復の為の下腿部用衣料の提供をすることを目的としている。
【課題を解決するための手段】
【０００６】
前記の課題を解決するための本発明は、患部組織周辺の循環を確保可能な下腿部用衣料本体と、下腿部用衣料本体の内面に固着し、且つ、患部周辺の腫張を圧迫するためのパッド部材と、からなる下腿部用衣料であって、下腿部用衣料本体は、筒形状、又は、有底筒形状をなし、少なくとも使用者の膝関節下部近傍から足首近傍までに密着圧接可能であると共に、膝関節下部近傍から足首近傍にかけて、段階的に着圧力を増すものであり、パッド部材は、足関節の腓骨、及び／又は、頸骨の形状に合わせた略Ｕ字形状であることを特徴とする。
【発明の効果】
【０００７】
本発明のような構成であれば、足関節捻挫の際に、患部周辺の腫張部位にパッド部材を正確に押し当て、腫張をコントロールすることができると共に、患部組織への血流などの循環動態を確保することができ、従来にはない顕著な効果、すなわち、足関節捻挫からの超早期的な回復を促すことができる。
【図面の簡単な説明】
【０００８】
【図１】本発明の下腿部用衣料を示す側面図である。
【図２】本発明の下腿部用衣料を内反捻挫の際に着用した状態を示す斜視図である。
【図３】本発明の下腿部用衣料におけるパッド部材が内反捻挫の際に押し当てられる箇所を説明するための側面図である。
【発明を実施するための形態】
【０００９】
以下、本発明の実施の形態を図１から図３を参照して説明する。本発明の下腿部用衣料１０は、図１に示すように、下腿部用衣料本体１１と、下腿部用衣料本体１１の内面に固着するパッド部材１２と、からなる。そして、本発明の下腿部用衣料１０は、足関節捻挫からの早期回復の為に用いられるものであり、内反捻挫、外反捻挫、どちらの治療の場合にも用いることができる。
【００１０】
下腿部用衣料本体１１は、図２に示すように、使用者のつま先をオープンにする筒形状、又は、一般的な靴下のような有底筒形状をなし、少なくとも使用者の膝関節下部近傍から足首近傍までに密着圧接可能であると共に、膝関節下部近傍から足首近傍にかけて、段階的に着圧力を増すもの、言い換えるならば、患部周辺、及び、それよりも下位の位置の着圧力が最も強く、それより上位、言い換えるならば心臓側にいくに従い、着圧力が弱いものである。なお、図２に示す矢印は、着圧力の強さを定性的に示したものであるが、その着圧力の具体的な数値に関しては、患部組織周辺の循環を確保する、言い換えるならば、患部への血流が滞り、下肢のポンプ作用を持つ足底やふくらはぎの筋肉が機能不全を起こし、静脈への還流が正しく行われなくなるのを防ぐ、という目的を達成することができる範囲であれば任意である。なお、下腿部用衣料本体１１の素材としては、ナイロンやポリウレタンなど家庭でも洗濯できるものであることが望ましい。
【００１１】
そして、パッド部材１２は、図１から図３に示すように、略Ｕ字形状をなすものであり、内反捻挫や外反捻挫の治療の際に患部周辺の腫張に押し当てられるものである。具体的には、パッド部材１２の略Ｕ字の開口側が上向きになる形で、且つ、足関節の腓骨Ａ、及び／又は、頸骨Ｂの端部にパッド部材１２の内周面を沿わせる状態で、使用者の腫張部位に正確に押し当てられる。なお、内反捻挫や外反捻挫の際には、足関節の腓骨Ａ、及び／又は、頸骨Ｂの端部に腫張が発生するが、このパッド部材１２を押し当てることにより、パッド部材１２の略Ｕ字の開口側から腫張を逃がす、言い換えるならば、腫張をコントロールすることができる。そして、パッド部材１２の素材としては、復元力が高く、腫張に容易にフィットするスポンジ等でもよいし、前記した下腿部用衣料本体１１の素材同様、家庭でも洗濯できる素材でもよいが、吸熱、放熱の効果を期待できるアルミニウムの板版等であれば、更に患部の炎症症状への効果も期待できる。また、その他、パッド部材１２の素材が抗菌作用のある銀を含むもの等であれば、患部を常に清潔に保つことができるため、使用者の精神的負担も軽減することができる。
【００１２】
そして、前記したパッド部材１２は、下腿部用衣料本体１１の内側に固着するものであるが、その固着方法は、容易に位置ずれを起こさずに固着する方法であることが好ましい。例えば、パッド部材１２を下腿部用衣料本体１１の内面に直接縫い付けてもよいし、パッド部材１２の素材が直接縫い付けできない素材のものであれば、袋状の部材にパッド部材１２を納め、その袋状部材の中でパッド部材１２が自由に動かないようにした上で、袋状部材を下腿部用衣料本体１１に強固に縫い付けてもよい。
【００１３】
なお、上記開示された本発明の実施形態の構造は、あくまで例示である。本発明の技術的範囲は、特許請求の範囲の記載によって示されると共に、当該記載と均等と評価される技術的構成まで含むものである。そして、本実施形態例では、捻挫の際に用いるものとして具体的な構成を説明したが、この構成は、骨折の治療期間短縮やオペ後のリハビリにもそのまま用いることができるし、従来からある足首固定体の下巻きとしても用いることができる。
【符号の説明】
【００１４】
１０  下腿部用衣料
１１  下腿部用衣料本体
１２  パッド部材
Ａ    腓骨
Ｂ    頸骨
【図１】
2016073378.tif 000003
【図２】
2016073378.tif 000004
【図３】
2016073378.tif 000005